(57)【要約】【課題】セロハンテープ等の別部品による接着固定を用いることなく、保証書を収納した保証書用袋をダンボール製梱包箱に直接に固定可能とする。【解決手段】ダンボール製梱包箱の内側フラップ３にスリット穴４と穴５とを設けておき、穴５を利用してスリット穴４で囲まれた部分３Ｐ１を持ち上げ、持ち上げ部分３Ｐ１の下方に向けて保証書を収納した保証書用袋２の一端部２ＥＰを差し込みながら、持ち上げた部分３Ｐ１を元に戻すことにより、スリット穴４によって保証書用袋２の一端部２ＥＰを挟み込む。更に、外側フラップ６を閉じて、保証書用袋２を、内側フラップ３の表面３Ｓ１と外側フラップ６の裏面６Ｓ２との間に挟み込む。これにより、保証書用袋２は、ダンボール製梱包箱の内側フラップ３と外側フラップ６との間に完全に固定される。【選択図】図１
2005255193.tif 000002
【特許請求の範囲】
【請求項１】
その内側フラップの表面とその外側フラップの裏面との間に挟み込まれた、保証書を収納する保証書用袋を有するダンボール製梱包箱であって、
前記ダンボール製梱包箱の前記内側フラップに当該内側フラップを貫通する様に施された穴と、
前記穴に結合して前記内側フラップに当該内側フラップを貫通する様に施されたスリット穴とを備えており、
前記穴及び前記スリット穴で囲まれた前記内側フラップの一部分は、前記穴を介して前記内側フラップに加えられる持ち上げ力によって持ち上げ可能な状態にあり、
前記保証書用袋の一端部は、前記穴及び前記スリット穴に入り込んで前記内側フラップの裏面側に位置しており、且つ、前記内側フラップの前記一部分と、前記スリット穴を介して前記内側フラップの前記一部分と対向する前記内側フラップの他部分とで挟み込まれていることを特徴とする、
保証書用袋付きダンボール製梱包箱。
【請求項２】
請求項１記載の保証書用袋付きダンボール製梱包箱であって、
前記スリット穴の形状は波状であることを特徴とする、
保証書用袋付きダンボール製梱包箱。
【請求項３】
その内側フラップの表面とその外側フラップの裏面との間に挟み込まれた、保証書を収納する保証書用袋を有するダンボール製梱包箱であって、
前記ダンボール製梱包箱の前記内側フラップに当該内側フラップを貫通する様に施された放射状スリット穴を備えており、
前記保証書用袋の一端部は、前記放射状スリット穴に押し込まれて前記内側フラップの裏面側に位置しており、且つ、前記内側フラップの内で前記放射状スリット穴の周辺部分によって挟み込まれていることを特徴とする、
保証書用袋付きダンボール製梱包箱。
【発明の詳細な説明】
【技術分野】
【０００１】
本発明は、保証書がその中に収納された保証書用袋をダンボール製梱包箱に固定する技術に関している。
【背景技術】
【０００２】
一般的に、保証書を収納する保証書用袋は、ダンボール製梱包箱のフラップ上に、セロハンテープやガムテープ等の貼付部材を用いて貼付されているのが、現状である。
【０００３】
この様な状況に鑑みて、その改善策として、保証書用袋の一面に粘着剤を塗布しておくことが提案されている（例えば、特許文献１参照）。更に、粘着剤を塗布した保証書用袋と保証書とを一体化して構成することも提案されている（例えば、特許文献２参照）。
【０００４】
【特許文献１】特開平７−３１４９４６号公報
【特許文献２】特開平１０−２７８４５７号公報
【発明の開示】
【発明が解決しようとする課題】
【０００５】
上記従来技術によれば、保証書を収納する保証書用袋を、ダンボール製梱包箱にセロハンテープやガムテープ等で貼付する際の作業は、繁雑であり、且つ、その作業効率は悪く、しかも、部品点数も多いと言う問題点がある。又、上記各特許文献１，２に記載の技術においても、部品点数の点で問題点が残る。
【０００６】
この発明は斯かる状況に鑑みてなされたものであり、その目的は、テープや粘着材等の接着部材を要すること無く、部品点数の削減化を図ることが可能な、保証書用袋付きダンボール製梱包箱の構造及びその製造方法を提案する点にある。
【課題を解決するための手段】
【０００７】
本発明の第１主題は、その内側フラップの表面とその外側フラップの裏面との間に挟み込まれた、保証書を収納する保証書用袋を有するダンボール製梱包箱であって、前記ダンボール製梱包箱の前記内側フラップに当該内側フラップを貫通する様に施された穴と、前記穴に結合して前記内側フラップに当該内側フラップを貫通する様に施されたスリット穴とを備えており、前記穴及び前記スリット穴で囲まれた前記内側フラップの一部分は、前記穴を介して前記内側フラップに加えられる持ち上げ力によって持ち上げ可能な状態にあり、前記保証書用袋の一端部は、前記穴及び前記スリット穴に入り込んで前記内側フラップの裏面側に位置しており、且つ、前記内側フラップの前記一部分と、前記スリット穴を介して前記内側フラップの前記一部分と対向する前記内側フラップの他部分とで挟み込まれていることを特徴とする。
【０００８】
本発明の第２主題は、その内側フラップの表面とその外側フラップの裏面との間に挟み込まれた、保証書を収納する保証書用袋を有するダンボール製梱包箱であって、前記ダンボール製梱包箱の前記内側フラップに当該内側フラップを貫通する様に施された放射状スリット穴を備えており、前記保証書用袋の一端部は、前記放射状スリット穴に押し込まれて前記内側フラップの裏面側に位置しており、且つ、前記内側フラップの内で前記放射状スリット穴の周辺部分によって挟み込まれていることを特徴とする。
【０００９】
以下、この発明の主題の様々な具体化を、添付図面を基に、その効果・利点と共に、詳述する。
【発明の効果】
【００１０】
本発明の第１及び第２主題によれば、セロハンテープやガムテープ等の粘着テープを、あるいは保証書用袋裏面に塗布された粘着剤を一切用いることなく、保証書を収納する保証書用袋を直接ダンボール製梱包箱に固定することが出来るので、上記粘着テープや上記粘着剤を削除して部品数の削減化を達成することが出来、その結果、それに伴うコストダウンの実現化をも期待することが出来る。特に、本発明の主題を製法的な観点から見た場合には、従来技術と比較して、作業の簡略化を図ることも出来ると言える。
【発明を実施するための最良の形態】
【００１１】
（実施の形態１）
本実施の形態の特徴点は、ダンボール製梱包箱の内側フラップに一体的に設けられた穴（貫通孔）及びスリット穴（スリット状貫通孔）を利用して、保証書を収納する保証書用袋をダンボール製梱包箱に直接に固定する点にある。以下、図面を基に、その詳細を記載する。
【００１２】
図１は、本実施の形態に係る保証書用袋付きダンボール製梱包箱の構成を模式的に示す斜視図である。尚、保証書用袋２の材質としては、プラスチック製、ビニール製、紙製等、様々な物があるが、ここでは、その材質は問われない（何れであっても良い）。又、図２は、外側フラップ６を閉じない状態における図１のダンボール製梱包箱の内で、保証書１を収納する保証書用袋２周辺の構成を拡大的に示す平面図である。又、図３は、ダンボール製梱包箱の外側フラップ６を閉じた状態における、図２の切断線Ａ−Ａに関する縦断面構造を示す断面図である。
【００１３】
図１〜図３において、本ダンボール製梱包箱の内側フラップ３の表面３Ｓ１上に下記の構造を介して直接に固定（挟持）された、保証書１を収納する保証書用袋２は、本ダンボール製梱包箱の外側フラップ６を内側フラップ３の表面３Ｓ１側に重ねる様に閉じることで、内側フラップ３の表面３Ｓ１と外側フラップ６の裏面６Ｓ２との間に挟み込まれて完全に固定される（尚、面６Ｓ１は外側フラップ６の表面である）。即ち、本ダンボール製梱包箱の内側フラップ３の所定領域（例えば、本一例では、外側フラップ６寄りの片隅部分）には、内側フラップ３を貫通する様に、横断面形状が円形である、作業者の指を入れるための穴５が形成されており、更に、穴５に結合しつつ内側フラップ３を貫通するスリット穴４が、互いに対向し合う様に形成されている。本実施の形態では、各スリット穴４の横断面（紙面に平行な面でスリット穴４を切断したときの切断面）形状は、略Ｌ字型に折れ曲がった直線形状を成している。従って、穴５及び両スリット穴４で囲まれた内側フラップ３の一部分３Ｐ１は、穴５を介して内側フラップ３に加えられる指の持ち上げ力によって持ち上げ可能な状態にある。そして、保証書１がその中に収納された保証書用袋２の一端部２ＥＰは、穴５及び両スリット穴４に押し込まれて、内側フラップ３の裏面３Ｓ２の下側領域にまで入り込んでいる。従って、保証書用袋２の一端部２ＥＰは、内側フラップ３の一部分３Ｐ１と、スリット穴４を介して内側フラップ３の一部分３Ｐ１と対向する内側フラップ３の他部分３Ｐ２とで、挟み込まれた状態にある。以下に、保証書用袋２を本ダンボール製梱包箱に固定して保証書用袋付きダンボール製梱包箱を製造する手順について詳述する。
【００１４】
先ず、作業者は、本ダンボール製梱包箱の内側フラップ３に施された穴５の中に指を入れて、穴５及びスリット穴４で囲まれた部分３Ｐ１を指で持ち上げる。その上で、作業者は、持ち上げた部分３Ｐ１を介して、当該部分３Ｐ１の裏面下方領域側に、保証書１を収納した保証書用袋２の一端部を差し込み、その後、持ち上げられた部分３Ｐ１を元に戻す。この一連の作業により、保証書１を収納した保証書用袋２の、差し込まれた一端部２ＥＰは、本ダンボール製梱包箱の内側フラップ３に設けられたスリット穴４によって挟み込まれる。更に、作業者は、本ダンボール製梱包箱の外側フラップ６を内側フラップ３と重ねる様に閉じると、保証書１を収納した保証書用袋２は、本ダンボール製梱包箱の内側フラップ３の表面３Ｓ１と外側フラップ６の裏面６Ｓ２とにより挟み込まれる。
【００１５】
この様にすれば、保証書１を収納した保証書用袋２は、粘着部材を一切用いることなく、本ダンボール製梱包箱の内側フラップ３と外側フラップ６との間において、完全に固定される。
【００１６】
（変形例１）
尚、実施の形態１ではスリット穴４の横断面形状を略Ｌ字型に折り曲った直線状に設定しているが、図４の平面図に示す様に、スリット穴４Ａの横断面形状を波状に設定しても良い（但し、スリット穴４Ａの内で穴５との結合部分は直線形状である）。
【００１７】
変形例１の利点：この様に、波状スリット穴４Ａを図１の直線状スリット穴４に代えて配設することにより、スリット穴４Ａにおける保証書用袋２と内側フラップ３との接触面積をより一層増大させることが出来、その結果、保証書用袋２をダンボール製梱包箱の内側フラップ３に更に強固に挟み込むことが可能となる。
【００１８】
（実施の形態２）
本実施の形態の特徴点は、ダンボール製梱包箱の内側フラップに設けられた放射状のスリット穴（放射状スリット貫通孔）を利用して、保証書を収納する保証書用袋を直接ダンボール製梱包箱に固定する点にある。即ち、保証書用袋の一端部は、本ダンボール製梱包箱の内側フラップに当該内側フラップを貫通する様に施された放射状スリット穴に押し込まれて内側フラップの裏面下方領域側にまで入り込んでおり、その結果、保証書用袋の一端部は、内側フラップの内で当該放射状スリット穴の周辺部分によって挟み込まれて支持されている。又、製造方法として換言すれば、本実施の形態の特徴点は、保証書を収納する保証書用袋を本ダンボール製梱包箱に固定する際に、放射状スリット穴に保証書用袋の一端部を押し込み、その状態を保ったまま、本ダンボール製梱包箱の外側フラップを内側フラップに向けて閉じるだけで、保証書用袋を直接的に本ダンボール製梱包箱に固定する点にある。以下、図面を基に、その詳細を記載する。
【００１９】
図５は、本実施の形態に係る保証書用袋付きダンボール製梱包箱の構成を模式的に示す斜視図である。又、図６は、外側フラップ６を閉じない状態における、図５の保証書１を収納する保証書用袋２の周辺領域の構成を拡大的に示す平面図である。更に、図７は、本ダンボール製梱包箱の外側フラップ６を閉じた状態における、図６の切断線Ｂ−Ｂに関する縦断面図である。図５〜図７において、参照符号１は保証書であり、参照符号２は保証書１を収納する保証書用袋であり、参照符号３は本ダンボール製梱包箱の内側フラップであり、参照符号６は本ダンボール製梱包箱の外側フラップであり、本実施の形態の中核部を成す放射状スリット穴７は、内側フラップ３に設けた保証書用袋２を挟み込むための、放射状に延びたスリット状の穴乃至は溝（貫通孔）である。
【００２０】
以下に、保証書用袋２を本ダンボール製梱包箱に固定して保証書用袋付きダンボール製梱包箱を製造する手順について詳述する。先ず、作業者は、保証書１を収納する保証書用袋２の内で保証書１の無い部分（本例では、保証書１をその開口から入れる入口側部分を成す一端部）を、内側フラップ３に設けられた放射状スリット穴７の上に置き、その状態において、指で、保証書用袋２の一端部を放射状スリット穴７に押し込む。これにより、保証書用袋２の一端部の先端部分は、内側フラップ３の裏面３Ｓ２下方領域側にまで達し、その結果、保証書用袋２の一端部は放射状スリット穴７により挟み込まれる。その上で、作業者は、本ダンボール製梱包箱の外側フラップ６を内側フラップ３側に向けて閉じると、保証書１を収納した保証書用袋２は、本ダンボール製梱包箱の内側フラップ３の表面３Ｓ１と外側フラップ６の裏面６Ｓ２とにより、挟み込まれる。
【００２１】
この様な手順により、保証書１を収納した保証書用袋２は、本ダンボール製梱包箱の内側フラップ３と外側フラップ６との間に、完全に固定される。
【００２２】
（付記）
以上、本発明の実施の形態を詳細に開示し記述したが、以上の記述は本発明の適用可能な局面を例示したものであって、本発明はこれに限定されるものではない。即ち、記述した局面に対する様々な修正や変形例を、この発明の範囲から逸脱することの無い範囲内で考えることが可能である。
【００２３】
例えば、保証書１の位置が保証書用袋２の一端部側に偏ってずれた状態で保証書用袋２内に収納されている場合において、保証書１の一端が、保証書用袋２の一端部と共に、穴５及び／又はスリット穴４（４Ａ）あるいは放射状スリット穴７の中に入り込んで挟まれている場合でも良い。
【図面の簡単な説明】
【００２４】
【図１】本発明の実施の形態１に係るダンボール製梱包箱を示す斜視図である。
【図２】本発明の実施の形態１に係るダンボール製梱包箱の一部を拡大的に示す平面図である。
【図３】本発明の実施の形態１に係るダンボール製梱包箱のＡ−Ａ線に関する構造を示す縦断面図である。
【図４】本発明の実施の形態１の変形例１に係るダンボール製梱包箱の一部を拡大的に示す平面図である。
【図５】本発明の実施の形態２に係るダンボール製梱包箱を示す斜視図である。
【図６】本発明の実施の形態２に係るダンボール製梱包箱の一部を拡大的に示す平面図である。
【図７】本発明の実施の形態２に係るダンボール製梱包箱のＢ−Ｂ線に関する構造を示す縦断面図である。
【符号の説明】
【００２５】
１  保証書、２  保証書用袋、３  ダンボール製梱包箱の内側フラップ、４，４Ａ  スリット穴、５  穴、６  ダンボール製梱包箱の外側フラップ、７  放射状スリット穴。
【図１】
2005255193.tif 000003
【図２】
2005255193.tif 000004
【図３】
2005255193.tif 000005
【図４】
2005255193.tif 000006
【図５】
2005255193.tif 000007
【図６】
2005255193.tif 000008
【図７】
2005255193.tif 000009